(57)【要約】      （修正有）【課題】交流電源、及び直流電源により動作可能な画像処理装置及びその制御方法、並びにプログラムを提供する。【解決手段】画像処理装置１００は、定着ヒーター部１１０２には交流電源回路部１３０１により受電された交流電力を供給し、複数の電子回路には直流電源回路部１３０２により受電された直流電力を供給する。【選択図】図１
2013186238.tif 000002
【特許請求の範囲】
【請求項１】
記録紙上に転写されたトナーを融着させる為に前記記録紙を加熱する加熱手段と、複数の電子回路とを備えた画像処理装置であって、
交流電源から交流電力を受電する交流電力受電手段と、
直流電源から直流電力を受電する直流電力受電手段と、
前記加熱手段、及び前記複数の電子回路に供給する電力として、前記交流電力受電手段により受電された交流電力、及び前記直流電力受電手段により受電された直流電力の少なくとも一方の電力を供給する供給手段と
を備えたことを特徴とする画像処理装置。
【請求項２】
前記供給手段は、前記交流電力受電手段により交流電力が受電され、かつ前記直流電力受電手段により直流電力が受電されている場合には、前記加熱手段には前記交流電力受電手段により受電された交流電力を供給し、前記複数の電子回路には前記直流電力受電手段により受電された直流電力を供給することを特徴とする請求項１記載の画像処理装置。
【請求項３】
前記加熱手段による加熱を行わないときは、前記供給手段は、前記交流電力受電手段により受電された交流電力を供給しないことを特徴とする請求項１または請求項２記載の画像処理装置。
【請求項４】
前記交流電力受電手段により交流電力が受電されないときは、前記画像処理装置により行われる画像処理に係る一部の機能を制限することを特徴とする請求項１乃至請求項３のいずれか１項に記載の画像処理装置。
【請求項５】
制限される前記一部の機能は、前記加熱手段により前記記録紙を加熱する機能であり、前記加熱手段の加熱温度を、交流電力を用いて加熱する場合の加熱温度よりも低い温度とすることを特徴とする請求項４記載の画像処理装置。
【請求項６】
前記加熱手段により前記記録紙を加熱する機能が制限されたときは、前記記録紙を加熱する時間を、交流電力を用いて加熱する場合と比較して長い時間とすることを特徴とする請求項５記載の画像処理装置。
【請求項７】
制限される前記一部の機能は、ファックス通信により画像データを受信し、受信した画像データを前記記録紙に出力するファックス受信機能であり、前記ファックス受信機能が制限されたときは、前記ファックス通信により受信した前記画像データを前記記録紙に出力せずに、記憶手段に記憶することを特徴とする請求項４記載の画像処理装置。
【請求項８】
蓄電可能な蓄電手段を備え、
前記交流電力受電手段により交流電力が受電されないときは、前記直流電力受電手段により受電された直流電力の給電に加え、前記蓄電手段から給電させることを特徴とする請求項１乃至７のいずれか１項に記載の画像処理装置。
【請求項９】
記録紙上に転写されたトナーを融着させる為に前記記録紙を加熱する加熱手段と、複数の電子回路とを備えた画像処理装置の制御方法であって、
交流電源から交流電力を受電する交流電力受電ステップと、
直流電源から直流電力を受電する直流電力受電ステップと、
前記加熱手段、及び前記複数の電子回路に供給する電力として、前記交流電力受電ステップにより受電された交流電力、及び前記直流電力受電ステップにより受電された直流電力の少なくとも一方の電力を供給する供給ステップと
を備えたことを特徴とする制御方法。
【請求項１０】
記録紙上に転写されたトナーを融着させる為に前記記録紙を加熱する加熱手段と、複数の電子回路とを備えた画像処理装置の制御方法をコンピュータに実行させるためのプログラムであって、
前記制御方法は、
交流電源から交流電力を受電する交流電力受電ステップと、
直流電源から直流電力を受電する直流電力受電ステップと、
前記加熱手段、及び前記複数の電子回路に供給する電力として、前記交流電力受電ステップにより受電された交流電力、及び前記直流電力受電ステップにより受電された直流電力の少なくとも一方の電力を供給する供給ステップと
を備えたことを特徴とするプログラム。
【発明の詳細な説明】
【技術分野】
【０００１】
本発明は、画像処理装置及びその制御方法、並びにプログラムに関する。
【背景技術】
【０００２】
昨今世界的なエネルギー資源不足が懸念され、自然エネルギーの活用が急速に進んでいる。期待される自然エネルギー源の１つに太陽電池がある。太陽電池が生成する電力やそれを蓄電する蓄電池も直流であり、また電気機器の多くは商用交流電源を直流に変換して直流電源で駆動する。太陽電池などで発電された直流電源を一旦交流に変換せずに直流のまま使えば利用効率が高まる。
【０００３】
そこで、直流（ＤＣ）と交流（ＡＣ）の２系統で給電する住宅用ハイブリッド給電システムの開発が進んでいる。このようなＡＣ／ＤＣハイブリッド給電システムでは、低い電圧で利用できる電気製品には直流で給電し、高い電圧が必要な冷蔵庫などには交流で給電することが想定されている。
【０００４】
ＡＣ／ＤＣハイブリッド給電システムは、夜間の直流給電のために、昼間に充電したり、商用交流電力を直流に変換するコンバータも備えている。また、売電のために、直流を交流に変換するコンバータを備える場合もある。
【０００５】
このような技術に関連して、ＵＳＢ供給電力と電池を活用する画像処理装置の電力管理方法が開示されている（例えば、特許文献１参照）。
【０００６】
この方法では、商用交流電源とＵＳＢ供給電力から直流電力を生成して、必要な各部に供給するとともに、内蔵する充電可能な２次電池を充電する。各電源の電圧を検出し、複写装置の動作モード及び電圧検出結果からＵＳＢ供給電力からだけでは電力が不十分なときに、充電した２次電池の電力で補充させる。
【０００７】
上記ＵＳＢ供給電力は直流電力であることから、特許文献１では、商用交流電源と直流電源を電力供給元として駆動される装置が提案されている。
【先行技術文献】
【特許文献】
【０００８】
【特許文献１】特開２０１１−０６１９７４号公報
【発明の概要】
【発明が解決しようとする課題】
【０００９】
しかしながら、特許文献１に提案された方法で、画像形成装置の定着部などの大電力を必要とする部分に２次電池から電力を供給する為には、非常に大容量で高額な２次電池が必要になってしまう。
【００１０】
一方、ＡＣ／ＤＣハイブリッド給電システムにおいて、商用交流電源は大電力を供給可能で安定的だが、直流電源は比較的大電力の供給はできず安定性も低いという特性を持つ。
【００１１】
本発明の目的は、交流電源、及び直流電源により動作可能な画像処理装置及びその制御方法、並びにプログラムを提供することにある。
【課題を解決するための手段】
【００１２】
上記目的を達成するために、請求項１の画像処理装置は、記録紙上に転写されたトナーを融着させる為に前記記録紙を加熱する加熱手段と、複数の電子回路とを備えた画像処理装置であって、交流電源から交流電力を受電する交流電力受電手段と、直流電源から直流電力を受電する直流電力受電手段と、前記加熱手段、及び前記複数の電子回路に供給する電力として、前記交流電力受電手段により受電された交流電力、及び前記直流電力受電手段により受電された直流電力の少なくとも一方の電力を供給する供給手段とを備えたことを特徴とする。
【発明の効果】
【００１３】
本発明によれば、交流電源、及び直流電源により動作可能な画像処理装置及びその制御方法、並びにプログラムを提供することができる。
【図面の簡単な説明】
【００１４】
【図１】本発明の実施の形態に係る画像処理装置の概略構成を示す図である。
【図２】図１における画像処理装置が設置される事務所や家屋の配電環境を示す図である。
【図３】図１における電源ユニットにより実行される電源制御処理の手順を示すフローチャートである。
【図４】図１における制御部により実行される電源制御処理（Ａ）の手順を示すフローチャートである。
【図５】図１における制御部により実行される電源制御処理（Ｂ）の手順を示すフローチャートである。
【図６】図１における制御部により実行される電源制御処理（Ｃ）の手順を示すフローチャートである。
【図７】図１における制御部により実行される電源制御処理（Ｃ）の手順の変形例を示すフローチャートである。
【発明を実施するための形態】
【００１５】
以下、本発明の実施の形態について図面を参照しながら詳述する。
【００１６】
図１は、本発明の実施の形態に係る画像処理装置１００の概略構成を示す図である。
【００１７】
図１において、制御部１０１は、ＣＰＵなどで構成され、画像処理装置１００の全体的な動作を制御する。ＲＯＭ１０２には、制御部１０１が実行するプログラムや各種のデータなどが記憶されている。ＲＡＭ１０３は、制御部１０１が実行するプログラムが制御部１０１の制御の下に展開される。さらにＲＡＭ１０３は、制御部１０１のワークエリア及び、複写機能やファクシミリ機能で使用される画像が記憶される。
【００１８】
時計回路１１２は、時刻情報を出力するためのものであり、１次電池１１４により駆動される。
【００１９】
操作部１０５は、画像処理装置１００をユーザーが操作するための各種キーからなる。表示部１０４は、画像処理装置１００を操作するための各種情報を表示する。
【００２０】
ＦＡＸ通信部１０６はアナログ電話回線である加入者電話回線１１１０を介してＦＡＸ通信を行う。また、ＦＡＸ通信部１０６は受信した画像データを直ちに記録紙に出力せずに一旦ＲＡＭ１０３に記憶した後で記録紙に出力するメモリ受信機能を有する。
【００２１】
さらに、ＦＡＸ通信部１０６は送信する画像データを直ちに送信せずに一旦ＲＡＭ１０３に記憶した後で設定した時刻に送信するタイマー送信機能を有する。なお、画像処理装置１００の電源がオフされた場合でも、バッテリーバックアップ機能により、ＲＡＭ１０３に記憶された送信する画像データは一定時間だけ保持される。
【００２２】
画像読み取り部１０８は原稿を読み取る原稿読み取り部である。画像処理部１０９は読み取った画像や出力する画像データの変換処理を行う。画像形成部１１０は、駆動モーター部１１０３及び定着ヒーター部１１０２を備え、画像データを記録紙に出力する。本実施の形態における画像形成部１１０は、画像データに応じてトナーを記録紙に転写することにより、画像データを記録紙に出力する。そして、画像形成部１１０は、複写動作の場合は画像読み取り部１０８で読み取った画像データを記録紙に出力し、プリント動作の場合は、例えばコンピュータ１０１１から転送された画像データを記録紙に出力する。また、定着ヒーター部１１０２は、記録紙上に転写されたトナーを融着させる為に記録紙を加熱する。駆動モーター部１１０３は、不図示の感光ドラムなどを駆動する。
【００２３】
ネットワーク通信部１０７は、記録紙に出力するためにコンピュータ１０１１からＬＡＮ１１００を介して転送された画像データを受信したり、画像読み取り部１０８で読み取った画像データをコンピュータ１０１１にＬＡＮ１１００を介して送信する。このネットワーク通信部１０７は、コンピュータ１０１１からブラウザでＨＴＴＰ接続することで画像処理装置１００を操作するリモートユーザーインターフェース機能でも使用される。
【００２４】
符号化復号化部１１１は、画像読み取り部１０８で読み取った画像データをＦＡＸ通信部１０６で送信する際に、画像データで符号化する。また、符号化復号化部１１１は、ＦＡＸ通信部１０６で受信した画像データを記録紙に出力する際に、画像データを復号化する。
【００２５】
さらに符号化復号化部１１１は、複写動作をする際に複数ページの画像情報を一時的に記憶するために符号化したり、記録紙に出力する際に符号化した画像データを復号化する。
【００２６】
ＣＰＵバス１２０は、複数の電子回路を接続する。ここで複数の電子回路とは、制御部１０１、ＲＯＭ１０２、ＲＡＭ１０３、操作部１０５、表示部１０４、ＦＡＸ通信部１０６、ネットワーク通信部１０７、画像読み取り部１０８、画像処理部１０９、画像形成部１１０、及び符号化復号化部１１１である。
【００２７】
そしてＣＰＵバス１２０は、アドレス信号を転送するアドレスバス、制御信号を転送するコントロールバス、及び各種データを転送するデータバスの総称である。
【００２８】
ＵＳＢ通信部１１５は、記録紙に出力するためにコンピュータ１０１１からＵＳＢケーブルを介して転送された画像データを受信したり、画像読み取り部１０８で読み取った画像データをコンピュータ１０１１にＵＳＢケーブルを介して送信する。
【００２９】
このＵＳＢ通信部１１５は、ホストであるコンピュータ１０１１から画像処理装置１００にＶＢＵＳ電源の供給を受ける機能も有する。
【００３０】
電源ユニット１３０は、直流電源（直流電源線１１３０）から直流電力を受電する直流電力受電手段としての直流電源回路部１３０２を備える。直流電源回路部１３０２は、さらに交流電源線１１２０から給電された交流電力を直流電力に変換して各部へ給電をする。なお、各部とは、制御部１０１、ＲＯＭ１０２、ＲＡＭ１０３、操作部１０５、表示部１０４、ＦＡＸ通信部１０６、ネットワーク通信部１０７、画像読み取り部１０８、画像処理部１０９、ＵＳＢ通信部１１５、駆動モーター部１１０３、及び符号化復号化部１１１を示している。
【００３１】
また、直流電源回路部１３０２は、直流電源線１１３０から給電された電力を画像処理装置１００で必要な電圧に変換する。さらに、直流電源回路部１３０２には蓄電可能な２次電池１１３（蓄電手段）が接続され、直流電力の供給が不足した場合に２次電池１１３から放電することで、不足分を補う。
【００３２】
電源ユニット１３０は、交流電源（交流電源線１１２０）から交流電力を受電する交流電力受電手段としての交流電源回路部１３０１を備える。交流電源回路部１３０１は、交流電源線１１２０から給電された電力を直流に変換し、定着ヒーター部１１０２に給電する。以下の説明では、交流電源回路部１３０１が交流電源線１１２０から給電された交流電力を直流電力に変換し、さらに画像処理装置１００で必要な電圧に変換することを、単に直流変換と表現する。
【００３３】
昇圧回路部１３０３は、直流電源回路部１３０２から給電された電力を昇圧して、交流電力の代わりに画像形成部１１０内の定着ヒーター部１１０２へ直流電力を給電する。
【００３４】
電源ユニット１３０（供給手段）は、不図示の供給電源検知部及び電源切り替え部を備える。供給電源検知部は交流電源線１１２０及び直流電源線１１３０からの電力供給状態を検知する。電源切り替え部は電源の供給元を切り替える。このようにして、電源ユニット１３０は、定着ヒーター部１１０２、及び複数の電子回路に供給する電力として、交流電源回路部１３０１により受電された交流電力、及び直流電源回路部１３０２により受電された直流電力の少なくとも一方の電力を供給する。
【００３５】
図２は、図１における画像処理装置１００が設置される事務所や家屋の配電環境を示す図である。
【００３６】
図２において、電力会社２３０から給電された商用交流電源は交流配電盤２０３に供給され、そこから交流電源線１１２０によって電気機器へ供給される。一方、太陽電池２００が生成した直流電力は直流配電盤２０２へ送られ、直流電源線１１３０によって電気機器へ供給される。
【００３７】
また、直流配電盤２０２には２次電池２０１が接続され、太陽電池２００が生成した直流電力が余った場合は、２次電池に充電される。また、太陽電池２００が生成した電力が不足する場合は、２次電池の電力を用いることで、直流電源線１１３０に供給する直流電力を安定化させる。
【００３８】
交流配電盤２０３と直流配電盤２０２との間には、交流−直流変換器２０４が接続される。交流−直流変換器２０４は、太陽電池２００の発電量、及び２次電池２０１の充電量が不足して、直流電源線１１３０に十分な直流電力を供給できない場合に、交流電力から直流電力を生成して直流配電盤２０２へ供給する。
【００３９】
交流−直流変換器２０４は、停電で商用交流電源から給電されない場合は、直流電力から交流電力を生成して交流配電盤２０３へ供給する。交流電源線１１２０には交流電力で動作する電機機器、例えば冷蔵庫２１０、エアコン２１１、テレビ２１２などが接続される。直流電源線１１３０には直流電力で動作する電機機器、例えば照明２０５、電話機２０６、パソコン２０７などが接続される。
【００４０】
また、画像処理装置１００は交流電源線１１２０と直流電源線１１３０の両方から給電される。
【００４１】
図３は、図１における電源ユニット１３０により実行される電源制御処理の手順を示すフローチャートである。
【００４２】
図３における電源制御処理は、電源ユニット１３０内部のハードロジックにより実現される。また、上述した、交流電源線１１２０及び直流電源線１１３０からの電力供給状態を検知する供給電源検知部は、交流電源回路部１３０１及び直流電源回路部１３０２の各々に設けられている。
【００４３】
まず、画像処理装置１００の電源スイッチがオンされると（ステップＳ３０１）、交流電源線１１２０、直流電源線１１３０から給電されているか否かを電源検知部で検知することで判別する（ステップＳ３０２）。ここでは、交流電源線１１２０、及び直流電源線１１３０の少なくとも一方からは給電されているものとする。
【００４４】
ステップＳ３０２の判別の結果、交流電源線１１２０、及び直流電源線１１３０の両方から給電されているとき（ステップＳ３０２で交直給電）、直流電源線１１３０から給電された電力を電圧変換して制御部１０１へ供給する（ステップＳ３０３）。そして、図４で説明するＡに進む。
【００４５】
ステップＳ３０２の判別の結果、交流電源線１１２０から給電されているとき（ステップＳ３０２で交流給電のみ）、交流電源線１１２０から給電された電力を直流変換して制御部１０１へ供給する（ステップＳ３０４）。そして、図５で説明するＢに進む。
【００４６】
ステップＳ３０２の判別の結果、直流電源線１１３０から給電されているとき（ステップＳ３０２で直流給電のみ）、直流電源線１１３０から給電された電力を電圧変換して制御部１０１へ供給する（ステップＳ３０５）。そして、図６で説明するＣに進む。
【００４７】
上述した電源制御処理において、図３に示される処理が終了した後のＡ，Ｂ，Ｃ以降の処理は、ＲＯＭ１０２に記憶されたプログラムによって制御部１０１により実行される。
【００４８】
図４は、図１における制御部１０１により実行される電源制御処理（Ａ）の手順を示すフローチャートである。
【００４９】
図４における電源制御処理（Ａ）は、図３の端子Ａからの処理を示しており、また交流電源線１１２０からの給電よりも直流電源線１１３０からの給電を優先する場合の例を示している。
【００５０】
まず、定着ヒーター部１１０２以外の各部へ直流電源線１１３０から給電された電力を電圧変換した電力が供給される（ステップＳ４０１）。上記各部については、図１の説明を参照されたい。
【００５１】
次いで、画像処理装置１００の初期化処理を行う（ステップＳ４０２）。そして、定着ヒーター部１１０２の加熱が必要か否か判別する（ステップＳ４０３）。この判別は、定着ヒーター部１１０２の現在の温度が予め定められた温度より大きい場合は肯定判別され、そうでない場合は否定判別される。
【００５２】
ステップＳ４０３の判別の結果、定着ヒーター部１１０２の加熱が必要ではないとき（ステップＳ４０３でＮＯ）、交流電源線１１２０からの給電を遮断し（ステップＳ４０５）、ステップＳ４０６に進む。
【００５３】
一方、ステップＳ４０３の判別の結果、定着ヒーター部１１０２の加熱が必要なとき（ステップＳ４０３でＹＥＳ）、交流電源線１１２０からの給電により定着ヒーター部１１０２を予め定められた温度まで加熱する（ステップＳ４０４）。そして、加熱のための交流電源線１１２０からの給電を遮断して、スタンバイモードに移行する（ステップＳ４０６）。
【００５４】
次いで、画像データを記録紙に出力するときには（ステップＳ４０７でＹＥＳ）、交流電源線１１２０からの給電により定着ヒーター部１１０２を加熱する（ステップＳ４０８）。画像データを記録紙に出力するケースとして、上述したように複写動作、プリント動作、またはＦＡＸ受信が挙げられる。
【００５５】
次いで、画像データを記録紙に出力し（ステップＳ４０９）、加熱のための交流電源線１１２０からの給電を遮断して、スタンバイモードに移行して（ステップＳ４１０）、本処理を終了する。
【００５６】
上述した図４の電源制御処理において、交流電源線１１２０からの給電よりも直流電源線１１３０からの給電を優先する理由について説明する。まず、画像処理装置１００は主に直流電力を使用している。そして交流電力を直流電力に変換する際の変換効率を８０％としても、電力のロスは大きい。
【００５７】
そこで交流電源線１１２０から給電される交流電力のエネルギー効率と直流電源線１１３０から給電される直流電力のエネルギー効率が同じであると仮定すると、直流電源線１１３０から給電された直流電力を使用した方が環境に対する消費エネルギー効率が良い。
【００５８】
また、上記ステップＳ４０４で、定着ヒーター部１１０２の加熱に交流電源線１１２０から給電された電力を使用する理由は、定着ヒーター部１１０２を加熱するための消費電力が大きいためである。
【００５９】
直流電源線１１３０から給電される直流電力の電圧が１２Ｖ〜２４Ｖと低く、給電可能な電流も比較的少ないため、定着ヒーター部１１０２の加熱には交流電源線１１２０から給電された電力を使用した場合と比較して時間を要する。
【００６０】
さらに、上記スタンバイモードでの定着ヒーター部１１０２の加熱は予熱の意味を持つ。画像データを記録紙に出力する必要が生じたときに素早く出力する場合は予熱が必要であるが、素早く出力しない場合は予熱が不要である。
【００６１】
図４の処理によれば、電源ユニット１３０は、交流電源回路部１３０１により交流電力が受電され、かつ直流電源回路部１３０２により直流電力が受電されている場合には、以下のように電力を供給する。すなわち、定着ヒーター部１１０２には交流電源回路部１３０１により受電された交流電力を供給し、複数の電子回路には直流電源回路部１３０２により受電された直流電力を供給する。その結果、交流電源、及び直流電源により動作可能な画像処理装置を提供できる。また、定着ヒーター部１１０２のように交流電源が適したものについては、交流電力を用い、電子回路のように低圧の直流電力でも動作可能なものについては直流電力を用いるので、効率的に消費電力を低減することができる。すなわち、交流電力、及び直流電力により動作可能であり、効率的に消費電力を低減可能な画像処理装置を提供することができる。
【００６２】
また、ステップＳ４０３，４０４，４０５に示されるように、スタンバイモードでは、定着ヒーター部１１０２による加熱を行わない。このように、定着ヒーター部１１０２による加熱を行わないときは、電源ユニット１３０は、交流電源回路部１３０１により受電された交流電力を供給しない。
【００６３】
図５は、図１における制御部１０１により実行される電源制御処理（Ｂ）の手順を示すフローチャートである。
【００６４】
図５における電源制御処理（Ｂ）は、図３の端子Ｂからの処理を示しており、また交流電源線１１２０からのみ給電される場合の処理を示している。
【００６５】
まず、定着ヒーター部１１０２以外の各部へ交流電源線１１２０から給電された電力を直流変換した電力が供給される（ステップＳ５０１）。
【００６６】
次いで、画像処理装置１００の初期化処理を行う（ステップＳ５０２）。そして、定着ヒーター部１１０２の加熱が必要か否か判別する（ステップＳ５０３）。この判別は、定着ヒーター部１１０２の現在の温度が予め定められた温度より大きい場合は肯定判別され、そうでない場合は否定判別される。
【００６７】
ステップＳ５０３の判別の結果、定着ヒーター部１１０２の加熱が必要ではないとき（ステップＳ５０３でＮＯ）、交流電源線１１２０からの給電を遮断し（ステップＳ５０５）、ステップＳ５０６に進む。
【００６８】
一方、ステップＳ５０３の判別の結果、定着ヒーター部１１０２の加熱が必要なとき（ステップＳ５０３でＹＥＳ）、交流電源線１１２０からの給電により定着ヒーター部１１０２を予め定められた温度まで加熱する（ステップＳ５０４）。そして、加熱のための交流電源線１１２０からの給電を遮断して、２次電池１１３からの給電により、スタンバイモードに移行する（ステップＳ５０６）。
【００６９】
次いで、画像データを記録紙に出力するときには（ステップＳ５０７でＹＥＳ）、交流電源線１１２０からの給電により定着ヒーター部１１０２を加熱する（ステップＳ５０８）。画像データを記録紙に出力するケースとして、上述したように複写動作、プリント動作、またはＦＡＸ受信が挙げられる。
【００７０】
次いで、画像データを記録紙に出力し（ステップＳ５０９）、加熱のための交流電源線１１２０からの給電を遮断して、２次電池１１３からの給電により、スタンバイモードに移行して（ステップＳ５１０）、本処理を終了する。
【００７１】
図６は、図１における制御部１０１により実行される電源制御処理（Ｃ）の手順を示すフローチャートである。
【００７２】
図６における電源制御処理（Ｃ）は、図３の端子Ｃからの処理を示しており、また直流電源線１１３０からのみ給電される場合の処理を示している。
【００７３】
まず、定着ヒーター部１１０２以外の各部へ直流電源線１１３０から給電された電力を電圧変換した電力が供給される（ステップＳ６０１）。
【００７４】
次いで、画像処理装置１００の初期化処理を行う（ステップＳ６０２）。そして、定着ヒーター部１１０２の加熱が必要か否か判別する（ステップＳ６０３）。この判別は、定着ヒーター部１１０２の現在の温度が予め定められた温度より大きい場合は肯定判別され、そうでない場合は否定判別される。
【００７５】
ステップＳ６０３の判別の結果、定着ヒーター部１１０２の加熱が必要ではないとき（ステップＳ６０３でＮＯ）、昇圧回路部１３０３からの給電を遮断したままとし（ステップＳ６０５）、ステップＳ６０６に進む。
【００７６】
一方、ステップＳ６０３の判別の結果、定着ヒーター部１１０２の加熱が必要なとき（ステップＳ６０３でＹＥＳ）、昇圧回路部１３０３からの給電により定着ヒーター部１１０２を予め定められた温度まで加熱する（ステップＳ６０４）。そして、加熱のための昇圧回路部１３０３からの給電を遮断して、スタンバイモードに移行する（ステップＳ６０６）。
【００７７】
次いで、画像データを記録紙に出力するか否か判別する（ステップＳ６０７）。ステップＳ６０７においては、画像データを記録紙に出力するケースとして、上述したように複写動作、またはプリント動作が挙げられる。
【００７８】
ステップＳ６０７の判別の結果、画像データを記録紙に出力しないときは（ステップＳ６０７でＮＯ）、ＦＡＸ受信したか否か判別する（ステップＳ６１２）。ステップＳ６１２の判別の結果、ＦＡＸ受信していないときは（ステップＳ６１２でＮＯ）、ステップＳ６０７に戻る。
【００７９】
一方、ステップＳ６１２の判別の結果、ＦＡＸ受信したときは（ステップＳ６１２でＹＥＳ）、上述したメモリ受信機能によるメモリ受信を行い（ステップＳ６１３）、ステップＳ６１１に進む。
【００８０】
上記ステップＳ６０７の判別の結果、画像データを記録紙に出力するときは（ステップＳ６０７でＹＥＳ）、記録するモードの１つである低速モードに移行することで、記録スピードを低速化する（ステップＳ６０８）。この低速モードは、ステップＳ４０７、５０７の場合の記録スピードよりも遅い記録スピードで記録するモードである。
【００８１】
そして、昇圧回路部１３０３からの給電により定着ヒーター部１１０２を加熱する（ステップＳ６０９）。
【００８２】
次いで、画像データを記録紙に出力し（ステップＳ６１０）、加熱のための昇圧回路部１３０３からの給電を遮断して、スタンバイモードに移行して（ステップＳ６１１）、本処理を終了する。
【００８３】
上記ステップＳ６０４において、昇圧回路部１３０３により直流電源を昇圧させる理由は、定着ヒーター部１１０２が交流電源線１１２０から給電される交流電力の電圧をそのまま使う構成にしているためである。直流電源線１１３０から供給された直流電力の電圧は交流電源線１１２０から給電される交流電力の電圧より低いのでそのままでは電圧や電力が不足する。
【００８４】
また、上記ステップＳ６１３では、交流電源線１１２０からの給電がないので、消費電力を低減するために、定着ヒーター部１１０２の加熱を行わないこととしている。もちろん、ステップＳ６０９のように、昇圧回路部１３０３からの給電により定着ヒーター部１１０２を加熱してもよく、その場合はステップ６０８と同様に記録スピードを低速化する。
【００８５】
図６の処理によれば、ステップＳ６０８，６１３に示されるように、交流電源回路部１３０１により交流電力が受電されないときは、画像処理装置１００により行われる画像処理に係る一部の機能を制限する。
【００８６】
具体的には、ステップＳ６０８に示されるように、制限される一部の機能は、定着ヒーター部１１０２により記録紙を加熱する機能であり、定着ヒーター部１１０２の加熱温度を、交流電力を用いて加熱する場合の加熱温度よりも低い温度とする。こうして、定着ヒーター部１１０２により記録紙を加熱する機能が制限されたときは、記録紙を加熱する時間を、交流電力を用いて加熱する場合と比較して長い時間とする。本実施の形態では、記録スピードを低速化すると、記録紙を加熱する時間を、交流電力を用いて加熱する場合と比較して長い時間とできるようになっている。
【００８７】
また、ステップＳ６１３に示されるように、制限される一部の機能は、ファックス通信により画像データを受信し、受信した画像データを記録紙に出力するファックス受信機能である。そして、ファックス機能が制限されたときは、ファックス通信により受信した画像データを記録紙に出力せずに、記憶手段（ＲＡＭ１０３）に記憶する。
【００８８】
図７は、図１における制御部１０１により実行される電源制御処理（Ｃ）の手順の変形例を示すフローチャートである。
【００８９】
図７における電源制御処理（Ｃ）は、図３の端子Ｃからの処理を示しており、また直流電源線１１３０からのみ給電される場合の処理を示し、さらに図６の変形例である。
【００９０】
まず、定着ヒーター部１１０２以外の各部へ直流電源線１１３０から給電された電力を電圧変換した電力が供給される（ステップＳ７０１）。
【００９１】
次いで、画像処理装置１００の初期化処理を行う（ステップＳ７０２）。そして、定着ヒーター部１１０２の加熱が必要か否か判別する（ステップＳ７０３）。この判別は、定着ヒーター部１１０２の現在の温度が予め定められた温度より大きい場合は肯定判別され、そうでない場合は否定判別される。
【００９２】
ステップＳ７０３の判別の結果、定着ヒーター部１１０２の加熱が必要ではないとき（ステップＳ７０３でＮＯ）、昇圧回路部１３０３からの給電を遮断したままとし（ステップＳ７０５）、ステップＳ７０６に進む。
【００９３】
一方、ステップＳ７０３の判別の結果、定着ヒーター部１１０２の加熱が必要なとき（ステップＳ７０３でＹＥＳ）、昇圧回路部１３０３からの給電により定着ヒーター部１１０２を予め定められた温度まで加熱する（ステップＳ７０４）。そして、加熱のための昇圧回路部１３０３からの給電を遮断して、スタンバイモードに移行する（ステップＳ７０６）。
【００９４】
次いで、画像データを記録紙に出力するか否か判別する（ステップＳ７０７）。ステップＳ７０７においては、画像データを記録紙に出力するケースとして、上述したように複写動作、またはプリント動作が挙げられる。
【００９５】
ステップＳ７０７の判別の結果、画像データを記録紙に出力しないときは（ステップＳ７０７でＮＯ）、ＦＡＸ受信したか否か判別する（ステップＳ７１１）。ステップＳ７１１の判別の結果、ＦＡＸ受信していないときは（ステップＳ７１１でＮＯ）、ステップＳ７０７に戻る。
【００９６】
一方、ステップＳ７１１の判別の結果、ＦＡＸ受信したときは（ステップＳ７１１でＹＥＳ）、上述したメモリ受信機能によるメモリ受信を行い（ステップＳ７１３）、ステップＳ７０８に進む。
【００９７】
上記ステップＳ７０７の判別の結果、画像データを記録紙に出力するときは（ステップＳ７０７でＹＥＳ）、２次電池１１３から昇圧回路部１３０３に給電させ、その昇圧回路部１３０３からの給電により定着ヒーター部１１０２を加熱する（ステップＳ７０８）。従って、ステップＳ７０８では２次電池１１３から電力を補助として加えることにより、直流電源線１１３０から給電可能な電力が交流電源線１１２０から給電可能な電力より低い分を補うことができる。その結果、記録スピードを低速化させずに、通常の記録スピードで記録可能な程度に定着ヒーター部１１０２の加熱用電力を確保できる。
【００９８】
次いで、画像データを記録紙に出力し（ステップＳ７０９）、加熱のための昇圧回路部１３０３からの給電を遮断して、スタンバイモードに移行して（ステップＳ７１０）、本処理を終了する。なお、上述したステップＳ７０９では、メモリ受信したＦＡＸも記録紙に出力されることとなる。
【００９９】
図７の処理によれば、ステップＳ７０８に示されるように、交流電源回路部１３０１により交流電力が受電されないときは、直流電源回路部１３０２により受電された直流電力の給電に加え、２次電池１１３から給電させる。
【０１００】
上述した図３から図７のフローチャートでは、画像処理装置１００の電源スイッチオンをトリガーとして、交流電源線１１２０及び直流電源線１１３０の電源供給状態を検知する動作を説明した。しかし、電源スイッチオンに限らず、動作中も電源供給状態を検知するようにしてもよい。
【０１０１】
この場合、交流電源線１１２０及び直流電源線１１３０から給電されているか否かを検知した結果に基づいて、制御部１０１の制御によって動的に動作フローを切り替えるようにする。
【０１０２】
動作中もステップ３０２と同様に交流電源線１１２０及び直流電源線１１３０は給電されているか否かを検知する。そして、交流電源線１１２０及び直流電源線１１３０から給電されている場合は直流電源線１１３０からの電力を電圧変換して制御部１０１へ供給して、図４のステップ４０６へ進む。
【０１０３】
また、交流電源線１１２０からのみ給電されている場合は、交流電源線１１２０から給電された電力を電圧変換して制御部１０１へ供給し、図５のステップ５０６へ進む。
【０１０４】
さらに、直流電源線１１３０のみ給電されている場合は直流電源線１１３０から給電された電力を電圧変換して制御部１０１へ供給し、図６のステップ６０６または、図７のステップ７０６へ進む。
【０１０５】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１０６】
１００  画像処理装置
１０１  制御部
１０２  ＲＯＭ
１０３  ＲＡＭ
１１３  ２次電池
１１５  ＵＳＢ通信部
１３０  電源ユニット
１１０  画像形成部
１１０２  定着ヒーター部
１１０３  駆動モーター部
１３０１  交流電源回路部
１３０２  直流電源回路部
１３０３  昇圧回路部
【図１】
2013186238.tif 000003
【図２】
2013186238.tif 000004
【図３】
2013186238.tif 000005
【図４】
2013186238.tif 000006
【図５】
2013186238.tif 000007
【図６】
2013186238.tif 000008
【図７】
2013186238.tif 000009